(57)【要約】  通信システムは、各セルが終端ユーザプレーン機能（Ｔｅｒｍｉｎａｔｉｎｇ  Ｕｓｅｒ−Ｐｌａｎｅ  Ｆｕｎｃｔｉｏｎ：ＴＵＰＦ）のサービングエリアにそれぞれ関連付けられている複数のセルを含む。通信システムのセルを運用する基地局は、基地局とＴＵＰＦとを介して通信装置の通信セッションを制御する。基地局（ソースセル）により運用されるセルと適切なターゲットセルとの間の通信装置のモビリティは、以下のように実行される。通信セッションがノマディックＩＰアドレスを使用し、ターゲットセルがソースセルと同一ＴＵＰＦサービングエリアに関連付けられるが、基地局がターゲットセルのＴＵＰＦサービングエリアを決定することができない場合、基地局はハンドオーバ手順ではなくリダイレクション手順を開始する。したがって、リダイレクション手順を実行する場合、ターゲットセルが通信装置の通信セッションの通信を受信する準備がされる前にソースセルを介した通信セッションの通信接続が切断される。【選択図】図５
2019528018.tif 000002
【特許請求の範囲】
【請求項１】
各セルがユーザプレーン機能（例えば、終端ユーザプレーン機能（Ｔｅｒｍｉｎａｔｉｎｇ  Ｕｓｅｒ−Ｐｌａｎｅ  Ｆｕｎｃｔｉｏｎ：ＴＵＰＦ））のそれぞれのサービングエリアに関連付けられている複数のセルを含む通信システムの基地局であって、前記基地局は、
コントローラとトランシーバとを備え、
前記コントローラは、前記基地局および前記ユーザプレーン機能を介して通信装置の通信セッションを制御し、
前記コントローラは、前記基地局によって運用されるソースセルと、前記通信システムのターゲットセルとの間の前記通信装置のモビリティを制御し、
前記ターゲットセルが前記基地局によって運用される前記ソースセルと同一ユーザプレーン機能サービングエリアに関連付けられているが、前記コントローラが、前記ターゲットセルが関連付けられている前記ユーザプレーン機能サービングエリアが、前記ソースセルが関連付けられている前記ユーザプレーン機能サービングエリアと同一であると決定できない場合、前記コントローラは、前記ターゲットセルを運用する基地局が、前記ターゲットセルを介して前記通信装置の前記通信セッションの通信を受信する準備がされる前に前記ソースセルを介した前記通信装置の前記通信セッションの通信接続が切断される、リダイレクション手順を開始する、基地局。
【請求項２】
前記ターゲットセルが前記基地局によって運用される前記ソースセルと同一ユーザプレーン機能サービングエリアに関連付けられ、前記コントローラが、前記ターゲットセルが関連付けられている前記ユーザプレーン機能サービングエリアが、前記ソースセルが関連付けられている前記ユーザプレーン機能サービングエリアと同一であると決定できる場合、前記コントローラは、前記ターゲットセルを運用する基地局が、前記ターゲットセルを介して前記通信装置の前記通信セッションの通信を受信する準備がされるまで前記ソースセルを介した前記通信装置の前記通信セッションの通信接続が切断されない、ハンドオーバ手順を開始する、請求項１に記載の基地局。
【請求項３】
前記コントローラは、（例えば、前記通信セッションが所定のユーザプレーン機能サービスエリア上の前記通信システムにおける、インターネットプロトコル（ＩＰ）セッション継続性、及びＩＰアドレス到達可能性を必要とするかどうかを決定することによって）前記通信装置の前記通信セッションに関連するセッションおよびサービス継続性（ＳＳＣ：session and service continuity）モードを決定する、請求項１又は２に記載の基地局。
【請求項４】
前記コントローラは、前記通信セッションの確立中に、前記通信装置の前記通信セッションに関連する前記ＳＳＣモードを決定する、請求項３に記載の基地局。
【請求項５】
前記ターゲットセルが、前記基地局によって運用される前記ソースセルと同一ユーザプレーン機能サービングエリアに関連付けられている場合に、前記コントローラは、前記ＳＳＣモードが、（例えば、前記通信セッションがＩＰセッション継続性またはＩＰアドレス到達可能性を必要としないとき）前記通信セッションがノマディック（または非永続的な）ＩＰアドレスを使用するモード（例えば、ＳＳＣモード２）であると決定した場合、前記リダイレクション手順を開始する、請求項３又は４に記載の基地局。
【請求項６】
前記コントローラは、前記ＳＳＣモードが、前記通信セッションが固定（または永続的な）ＩＰアドレスを使用するモード（例えば、ＳＳＣモード１）であると前記コントローラが決定した場合、前記リダイレクション手順以外のモビリティ手順を開始する、請求項３、４又は５に記載の基地局。
【請求項７】
前記コントローラは、ＳＳＣモードと、ユーザプレーン機能サービスエリアおよびセルとの間のマッピングを特定する情報を保持し、前記マッピングに基づいて前記通信装置のモビリティを制御する、請求項２乃至６のうちいずれか１項に記載の基地局。
【請求項８】
各セルが終端ユーザプレーン機能、ユーザプレーン機能のそれぞれのサービングエリアに関連付けられている複数のセルを含む通信システムの基地局であって、前記基地局は、
コントローラとトランシーバとを備え、
前記コントローラは、前記基地局および前記ユーザプレーン機能を介して通信装置の通信セッションを制御し、
前記コントローラは、前記基地局によって運用されるソースセルと、前記通信システムのターゲットセルとの間の前記通信装置のモビリティを制御し、
前記ターゲットセルが前記基地局によって運用される前記ソースセルと同一ユーザプレーン機能サービングエリアに関連付けられ、前記コントローラが、前記ターゲットセルが関連付けられている前記ユーザプレーン機能サービングエリアが、前記ソースセルが関連付けられている前記ユーザプレーン機能サービングエリアと同一であると決定できる場合、前記コントローラは、前記ターゲットセルを運用する基地局が、前記ターゲットセルを介して前記通信装置の前記通信セッションの通信を受信する準備がされるまで前記ソースセルを介した前記通信装置の前記通信セッションの通信接続が切断されない、ハンドオーバ手順を開始する、基地局。
【請求項９】
前記ターゲットセルが前記基地局によって運用される前記ソースセルと同一ユーザプレーン機能サービングエリアに関連付けられているが、前記コントローラが、前記ターゲットセルが関連付けられているユーザプレーン機能サービングエリアと前記ソースセルが関連付けられているユーザプレーン機能サービングエリアが同一であると決定できない場合、前記コントローラは、前記ターゲットセルを運用する基地局が、前記ターゲットセルを介して前記通信装置の前記通信セッションの通信を受信する準備がされる前に前記ソースセルを介した前記通信装置の前記通信セッションの通信接続が切断される、リダイレクション手順を開始する、請求項８に記載の基地局。
【請求項１０】
通信システムの無線アクセスネットワーク装置であって、前記無線アクセスネットワーク装置は、
少なくとも１つの通信装置要求データフローに対して少なくとも１つの無線ベアラを設定するコントローラを備え、
前記コントローラは、同一無線ベアラを使用する前記要求データフローに加えて、前記要求データフローのデータレート要件と追加のネットワーク開始データフロー（例えばプッシュ広告／ローカルコンテンツ／ローカル生成パケット）を提供するデータレート要件の両方を満たすのに十分な、向上されたデータレートを提供するように、前記少なくとも１つの通信装置要求データフローに対して前記少なくとも１つの無線ベアラを設定する、無線アクセスネットワーク装置。
【請求項１１】
通信システムの無線アクセスネットワーク装置であって、前記無線アクセスネットワーク装置は、
少なくとも１つの通信装置要求データフローに対して少なくとも１つの無線ベアラを設定するコントローラを備え、
前記コントローラは、前記少なくとも１つの通信装置要求データフローに対する前記少なくとも１つの無線ベアラを設定することに加え、前記要求データフローに加えて、追加のネットワーク開始データフロー（例えばプッシュ広告／ローカルコンテンツ／ローカル生成パケット）を提供するために少なくとも１つのさらなるスタンドアローン無線ベアラを設定する、無線アクセスネットワーク装置。
【請求項１２】
前記コントローラは、同一通信装置固有のセキュリティパラメータを使用して、通信装置要求データフロー及び前記追加のネットワーク開始データフローの両方を暗号化する、請求項１０又は１１に記載の無線アクセスネットワーク装置。
【請求項１３】
無線ローカルエリアネットワーク（Ｗｉｒｅｌｅｓｓ  Ｌｏｃａｌ  Ａｒｅａ  Ｎｅｔｗｏｒｋ：ＷＬＡＮ）アクセスポイントを含む通信システムの通信装置であって、前記通信装置は、
コントローラとトランシーバとを備え、
前記コントローラは、前記ＷＬＡＮアクセスポイントを介したＷＬＡＮシグナリングと、前記ＷＬＡＮアクセスポイントを介した非アクセス層（Ｎｏｎ−Ａｃｃｅｓｓ  Ｓｔｒａｔｕｍ：ＮＡＳ）シグナリングとの両方に対して前記トランシーバを制御する、通信装置。
【請求項１４】
関連する無線ベアラを介して、コアネットワークに接続された基地局と通信するトランシーバをさらに備え、
前記コントローラは、前記無線ベアラに関する無線リンク障害（Ｒａｄｉｏ  Ｌｉｎｋ  Ｆａｉｌｕｒｅ：ＲＬＦ）を検出し、
前記コントローラは、前記ＷＬＡＮアクセスポイントを介して、前記コアネットワークのノードに前記ＲＬＦを提供する、請求項１３に記載の通信装置。
【請求項１５】
通信システムの無線ローカルエリアネットワーク（Ｗｉｒｅｌｅｓｓ  Ｌｏｃａｌ  Ａｒｅａ  Ｎｅｔｗｏｒｋ：ＷＬＡＮ）アクセスポイントであって、前記ＷＬＡＮアクセスポイントは、
コントローラとトランシーバとを備え、
前記コントローラは、通信装置からＷＬＡＮシグナリングと、非アクセス層（Ｎｏｎ−Ａｃｃｅｓｓ  Ｓｔｒａｔｕｍ：ＮＡＳ）シグナリングとの両方を受信し、前記ＮＡＳシグナリングをコアネットワークに転送するように前記トランシーバを制御する、ＷＬＡＮアクセスポイント。
【請求項１６】
各セルがユーザプレーン機能（例えば、終端ユーザプレーン機能（Ｔｅｒｍｉｎａｔｉｎｇ  Ｕｓｅｒ−Ｐｌａｎｅ  Ｆｕｎｃｔｉｏｎ：ＴＵＰＦ））のそれぞれのサービングエリアに関連付けられている複数のセルを含む通信システムにおける基地局によって実行される方法であって、前記方法は、
前記基地局および前記ユーザプレーン機能を介して通信装置の通信セッションを制御することと、
前記基地局によって運用されるソースセルと、前記通信システムのターゲットセルとの間の前記通信装置のモビリティを制御することと、
前記ターゲットセルが前記基地局によって運用される前記ソースセルと同一ユーザプレーン機能サービングエリアに関連付けられているが、前記基地局が、前記ターゲットセルが関連付けられている前記ユーザプレーン機能サービングエリアが、前記ソースセルが関連付けられている前記ユーザプレーン機能サービングエリアと同一であると決定できない場合、前記ターゲットセルを運用する基地局が、前記ターゲットセルを介して前記通信装置の前記通信セッションの通信を受信する準備がされる前に前記ソースセルを介した前記通信装置の前記通信セッションの通信接続が切断される、リダイレクション手順を開始することと、を含む、方法。
【請求項１７】
各セルが終端ユーザプレーン機能、ユーザプレーン機能のそれぞれのサービングエリアに関連付けられている複数のセルを含む通信システムにおける基地局によって実行される方法であって、前記方法は、
前記基地局および前記ユーザプレーン機能を介して通信装置の通信セッションを制御することと、
前記基地局によって運用されるソースセルと前記通信システムのターゲットセルとの間の前記通信装置のモビリティを制御することと、
前記ターゲットセルが前記基地局によって運用される前記ソースセルと同一ユーザプレーン機能サービングエリアに関連付けられ、前記基地局が、前記ターゲットセルが関連付けられている前記ユーザプレーン機能サービングエリアが、前記ソースセルが関連付けられている前記ユーザプレーン機能サービングエリアと同一であると決定できる場合、前記ターゲットセルを運用する基地局が、前記ターゲットセルを介して前記通信装置の前記通信セッションの通信を受信する準備がされるまで前記ソースセルを介した前記通信装置の前記通信セッションの通信接続が切断されない、ハンドオーバ手順を開始することと、を含む、方法。
【請求項１８】
通信システムのために無線アクセスネットワーク装置によって実行される方法であって、前記方法は、
少なくとも１つの通信装置要求データフローに対して少なくとも１つの無線ベアラを制御することと、
同一無線ベアラを使用する前記要求データフローに加えて、前記要求データフローのデータレート要件、及び追加のネットワーク開始データフロー（例えばプッシュ広告／ローカルコンテンツ／ローカル生成パケット）を提供するためのデータレート要件の両方を満たすのに十分な、向上されたデータレートを提供するように前記少なくとも１つの通信装置要求データフローに対して前記少なくとも１つの無線ベアラを設定することと、を含む、方法。
【請求項１９】
通信システムのために無線アクセスネットワーク装置によって実行される方法であって、前記方法は、
少なくとも１つの通信装置要求データフローに対して少なくとも１つの無線ベアラを設定することと、
前記少なくとも１つの通信装置要求データフローに対する前記少なくとも１つの無線ベアラを設定することに加え、前記要求データフローに加えて、追加のネットワーク開始データフロー（例えばプッシュ広告／ローカルコンテンツ／ローカル生成パケット）を提供するための少なくとも１つのスタンドアローン無線ベアラを設定することと、を含む、方法。
【請求項２０】
無線ローカルエリアネットワーク（Ｗｉｒｅｌｅｓｓ  Ｌｏｃａｌ  Ａｒｅａ  Ｎｅｔｗｏｒｋ：ＷＬＡＮ）アクセスポイントを含む通信システムにおける通信装置によって実行される方法であって、前記方法は、
前記ＷＬＡＮアクセスポイントを介したＷＬＡＮシグナリングと、前記ＷＬＡＮアクセスポイントを介した非アクセス層（Ｎｏｎ−Ａｃｃｅｓｓ  Ｓｔｒａｔｕｍ：ＮＡＳ）シグナリングとの両方を実行することを含む、方法。
【請求項２１】
通信システムの無線ローカルエリアネットワーク（Ｗｉｒｅｌｅｓｓ  Ｌｏｃａｌ  Ａｒｅａ  Ｎｅｔｗｏｒｋ：ＷＬＡＮ）アクセスポイントによって実行される方法であって、前記方法は、
通信装置から、ＷＬＡＮシグナリングと非アクセス層（Ｎｏｎ−Ａｃｃｅｓｓ  Ｓｔｒａｔｕｍ：ＮＡＳ）シグナリングとの両方を受信することと、
前記ＮＡＳシグナリングをコアネットワークに転送することと、を含む、方法。
【請求項２２】
プログラム可能な通信装置に請求項１６から２１のいずれか１項に記載の方法を実行させるためのコンピュータ実行可能命令を含むコンピュータ実行可能命令製品。
【発明の詳細な説明】
【技術分野】
【０００１】
本発明は通信システムに関する。本発明は特に、３ｒｄ  Ｇｅｎｅｒａｔｉｏｎ  Ｐａｒｔｎｅｒｓｈｉｐ  Ｐｒｏｊｅｃｔ（３ＧＰＰ）規格、その均等物もしくは派生物に従って動作する無線通信システムおよびその装置に関連するが、これに限らない。本発明は、いわゆる「次世代」システムにおけるモビリティに特に関するが、これに限らない。
【背景技術】
【０００２】
３ＧＰＰ規格の最新の開発は、Ｅｖｏｌｖｅｄ  Ｐａｃｋｅｔ  Ｃｏｒｅ（ＥＰＣ）ネットワークのＬｏｎｇ  Ｔｅｒｍ  Ｅｖｏｌｕｔｉｏｎ（ＬＴＥ）、Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ  （Ｅ−ＵＴＲＡＮ）、および一般に「４Ｇ」とも呼ばれる。３ＧＰＰ規格において、ＮｏｄｅＢ（またはＬＴＥのｅＮＢ）とは、それを介して通信装置（ユーザ装置またはＬＴＥの「ＵＥ」）がコアネットワークに接続し、他の通信装置またはリモートサーバと通信する基地局である。簡単のため、本願は、そのような基地局を基地局と呼び、そのような通信装置を移動装置またはＵＥと呼ぶ。コアネットワーク（ＬＴＥの場合はＥＰＣ）は特に、サブスクライバ管理、モビリティ管理、課金、セキュリティ、および呼／セッション管理等の機能を提供し、通信装置とインターネットなど外部ネットワークとの接続を提供する。
【０００３】
通信装置は、例えば、携帯電話、スマートフォン、ユーザ装置、携帯情報端末、ノートパソコン、タブレット、ウェブブラウザ、電子書籍リーダーなどのようなモバイル通信装置であってもよい。そのような携帯（または更に広く言うと据え置き型の）装置は通常、ユーザにより操作されるが、いわゆる「モノのインターネット」（Ｉｎｔｅｒｎｅｔ  ｏｆ  Ｔｈｉｎｇｓ：ＩｏＴ）装置および類似のマシンタイプ通信（Ｍａｃｈｉｎｅ  Ｔｙｐｅ  Ｃｏｍｍｕｎｉｃａｔｉｏｎ：ＭＴＣ）装置をネットワークに接続することも可能である。簡略化のため、本願は、以下において移動装置（またはＵＥ）について説明するが、以下に説明する技術は、人による入力あるいはメモリに記憶（格納）されているソフトウェア命令によって制御されているかにかかわらず、データ送信・受信のために通信ネットワークに接続することができる、あらゆる通信装置（携帯および／または、広く言うと据え置き型の装置）に適用できるとする。
【０００４】
「５Ｇ」という用語は、様々なアプリケーションやサービスをサポートすることが期待されている、進化を続ける通信技術を指す。５Ｇネットワークの詳細は、例えば、Ｎｅｘｔ  Ｇｅｎｅｒａｔｉｏｎ  Ｍｏｂｉｌｅ  Ｎｅｔｗｏｒｋｓ  （ＮＧＭＮ）  Ａｌｌｉａｎｃｅによる「ＮＧＭＮ  ５Ｇホワイトペーパー（ＮＧＭＮ  ５Ｇ  Ｗｈｉｔｅ  Ｐａｐｅｒ」」Ｖ１．０に記載されている。その文書は、https://www.ngmn.org/5g-white-paper.htmlから入手可能である。３ＧＰＰは、いわゆる３ＧＰＰ  Ｎｅｘｔ  Ｇｅｎｅｒａｔｉｏｎ（ＮｅｘｔＧｅｎ）無線アクセスネットワーク（Ｒａｄｉｏ  Ａｃｃｅｓｓ  Ｎｅｔｗｏｒｋ：ＲＡＮ）および３ＧＰＰ  ＮｅｘｔＧｅｎコアネットワークにより５Ｇをサポートすることを意図している。
【０００５】
３ＧＰＰテクニカルレポート（Ｔｅｃｈｎｉｃａｌ  Ｒｅｐｏｒｔ：ＴＲ）２３．７９９  Ｖ０．７．０には、３ＧＰＰ規格のリリース１４で計画されているＮｅｘｔＧｅｎ（５Ｇ）システムにおいて考えられるアーキテクチャおよび一般的な手順が記載されている。このテクニカルレポートは、実質的には１又は複数のセル（基地局）に結合された論理ネットワークノードであり、また３ＧＰＰユーザプレーンの終端であり、またデータネットワークとのインタフェースである、いわゆるＴｅｒｍｉｎａｔｉｎｇ  Ｕｓｅｒ  Ｐｌａｎｅ  Ｆｕｎｃｔｉｏｎ（ＴＵＰＦ）を紹介している。ＴＵＰＦと結合された各ＵＥ（すなわち、そのＴＵＰＦに結合された基地局配下のＵＥ）との間に適切なプロトコルデータユニット（Ｐｒｏｔｏｃｏｌ  Ｄａｔａ  Ｕｎｉｔ：ＰＤＵ）セッションが提供されるとする。また、３ＧＰＰ  ＴＲ  ２３．７９９（セクション６．６）には、ＮｅｘｔＧｅｎシステムにおけるＵＥのセッションとサービス継続性（Ｓｅｓｓｉｏｎ  ａｎｄ  Ｓｅｒｖｉｃｅ  Ｃｏｎｔｉｎｕｉｔｙ：ＳＳＣ）をサポートする３つの可能性が記載されている。これらの可能性は「ＳＳＣモード」と呼ばれ、次のように定義される。
−ＳＳＣモード１：ＵＥがネットワークにアクセスするために使用している無線アクセス技術（Ｒａｄｉｏ  Ａｃｃｅｓｓ  Ｔｅｃｈｎｏｌｏｇｙ：ＲＡＴ）およびセルに関わらず、同じＴＵＰＦが維持される。
−ＳＳＣモード２：ＴＵＰＦのサービングエリアと呼ばれる（全部ではない１又は複数の）アクセスネットワーク接続ポイント（例えば、セルやＲＡＴ）の一部でのみ同じＴＵＰＦが維持される。ＵＥがＴＵＰＦのサービングエリアを離れると、ＵＥはネットワークとの新しい接続ポイントに適した異なるＴＵＰＦによってサービス提供される。この場合、特定のＴＵＰＦのサービングエリアも（例えば、据え置き型ＵＥの場合は）ひとつのセルのみに限定されてもよい。
−ＳＳＣモード３：このモードでは、ネットワークはＵＥと前のＴＵＰＦとの間の接続が終了する前に、新しいＴＵＰＦを介した同じデータネットワーク（Ｄａｔａ  Ｎｅｔｗｏｒｋ  ：ＤＮ）とＵＥとの接続が確立できる。トリガ条件が満たされると、ネットワークではＵＥのネットワークへの新しい接続ポイントに適した対象のＴＵＰＦが選択される。両方のＴＵＰＦが有効である間に、ＵＥはアプリケーションを以前のアドレスから新しいアドレス／プレフィックスに能動的に再度結び付けるか、あるいは、前のアドレス／プレフィックスが結び付けられたフローが終了するのを待つ。
【０００６】
ＳＳＣモードはＰＤＵセッション毎に適用される。ＵＥは、ＰＤＵセッション毎に異なるＳＳＣモードを要求することがある。つまり、同じＵＥに対し並行して有効である複数のＰＤＵセッションは、それぞれ違うＳＳＣモードであってよい。関連付けられたＳＳＣモードは、ＰＤＵセッションの有効期間中は変更されない。
【０００７】
ＵＥは、ＵＥのアプリケーションが新しいフローを開始する（つまり、新しいソケットを開く）ときに、そのアプリケーションに必要なＳＳＣモードを決定することができる。この場合、アプリケーションはこのフローに必要なセッション継続性の種類を示す。セッション継続性の種類は、例えばＲｅｑｕｅｓｔ  ｆｏｒ  Ｃｏｍｍｅｎｔｓ  （ＲＦＣ）  の３４９３や３５４２、またＩｎｔｅｒｎｅｔ  Ｅｎｇｉｎｅｅｒｉｎｇ  Ｔａｓｋ  Ｆｏｒｃｅ  （ＩＥＴＦ）により発行されたインターネットドラフト「“ｄｒａｆｔ−ｉｅｔｆ−ｄｍｍ−ｏｎｄｅｍａｎｄ−ｍｏｂｉｌｉｔｙ”」（Ｖ７）に記載されるソケット  Ａｐｐｌｉｃａｔｉｏｎ  Ｐｒｏｇｒａｍｍｉｎｇ  Ｉｎｔｅｒｆａｃｅ  （ＡＰＩ）で示してもよい。言い換えれば、アプリケーションは、すでに指定されているソフトウェアＡＰＩを使用して、必要なセッション継続性の種類を示すことができる。ＩＰセッションの継続性、ＩＰアドレスの到達可能性、ノマディック（つまり、非持続）、持続（つまり、セッション持続）、および固定ＩＰアドレスの定義は、ｄｒａｆｔ−ｉｅｔｆ−ｄｍｍ−ｏｎｄｅｍａｎｄ−ｍｏｂｉｌｉｔｙに記載されており、その内容をここに取り込む。
【０００８】
まとめると、ＩＰ（Ｉｎｔｅｒｎｅｔ  Ｐｒｏｔｏｃｏｌ）セッション継続性は、移動ホストがＩＰネットワークトポロジ内で接続ポイントを変更しても、セッション全体を通して同じローカルエンドポイントＩＰアドレスを維持することによって、進行中のＩＰセッションを維持する能力として定義される（ホストのＩＰアドレスは２つの独立したＩＰセッション間で変わる可能性があるが、ＩＰセッションの継続性に悪影響はない）。ＩＰセッションの継続性は、移動ホストが中断することなく継続的なフローを維持するために不可欠である。
【０００９】
ＩＰアドレスの到達可能性は、同じＩＰアドレスを長期間維持する能力として定義されている。ここの場合、独立したＩＰセッション間でも、ＩＰセッションがなくても、ＩＰアドレスは同じままである。ＩＰアドレスは長期レジストリ（例えば、ドメインネームサーバ（Ｄｏｍａｉｎ  Ｎａｍｅ  Ｓｅｒｖｅｒ：ＤＮＳ））で公開されてもよく、到着する接続要求に応えるため利用可能とする。
【００１０】
ノマディック（または非永続的な）ＩＰアドレスは、ＩＰセッションの継続性もＩＰアドレスの到達可能性も提供しない種類のＩＰアドレスである。ノマディックのＩＰアドレスはサービングＩＰゲートウェイから得られ、ゲートウェイが変更されると維持されない。  つまり、移動ホスト（例えば、ＵＥ）の移動によってＩＰゲートウェイが変更されたとき、ノマディックＩＰアドレスが解放され、新しいＩＰアドレスに置き換えられてもよい。
【００１１】
特定のアプリケーション（例えば、サーバ、仮想ローカルエリアネットワーク（Ｖｉｒｔｕａｌ  Ｌｏｃａｌ  Ａｒｅａ  Ｎｅｔｗｏｒｋ：ＶＬＡＮ）クライアント、およびセキュアシェル（Ｓｅｃｕｒｅ  ＳＨｅｌｌ：ＳＳＨ）セッション）は通常固定ＩＰアドレスを必要とするが、有効期限の短いＩＰセッションを有するアプリケーション（ウェブブラウザなど）は持続ＩＰアドレスを使用できる。ＤＮＳクライアントやインスタントメッセンジャーなど、非常に短いＩＰセッションを持つアプリケーションは、ノマディックＩＰアドレスを使用できる。そのようなアプリケーションは固定ＩＰアドレスまたは持続ＩＰアドレスを使用することもできるが、送信待ち時間を最小限にするのに有利であるためノマディックＩＰアドレスが好まれる。
【００１２】
モバイルＩＰは、移動ホストにＩＰセッションの継続性とＩＰアドレスの到達可能性の両方を提供するように設計されている。ただし、実際には、すべてのアプリケーションにＩＰセッションの継続性とＩＰアドレスの到達可能性が必要なわけではない。
【００１３】
例えば、アプリケーションがノマディックＩＰアドレスを有するソケットを要求した場合、基本的にアプリケーションはＳＳＣモード２を要求する（ＩＰセッションの継続性やＩＰアドレスの到達可能性は不要である）。基本的に、アプリケーションが固定ＩＰアドレスのソケットを要求した場合、アプリケーションはＳＳＣモード１を要求し、持続ＩＰアドレスのソケットを要求した場合、アプリケーションはＳＳＣモード３を要求する。
【００１４】
アプリケーションが要求されたセッション継続性の種類を示さない場合、ＵＥはネットワークで設定されたポリシーを使用して要求されたセッション継続性を決定してもよい。ネットワークで設定されたポリシーとは、例えば優先順位付けされたルールのリストである。各ルールは特定のアプリケーションまたは特定のフロータイプに必要なＳＳＣモードを示す。例えば、設定されたポリシーには次のルールが含まれてもよい。
−ルール１、優先順位１：Ａｐｐ＝ｃｏｍ．ｅｘａｍｐｌｅ．ｓｋｙｐｅ
必要な継続性タイプ＝ＳＳＣモード３
−ルール２、優先順位２：Ａｐｐ＝ｃｏｍ．ｅｘａｍｐｌｅ．ｗｅｂ．ｓｅｒｖｅｒ
必要な継続性タイプ＝ＳＳＣモード１
−ルール３、優先度３：プロトコル＝ＴＣＰ；ＤｓｔＰｏｒｔ＝８０
必要な継続性タイプ＝ＳＳＣモード２
−デフォルトのルール：デフォルトの継続性タイプ＝ＳＳＣモード２
【００１５】
ＵＥがＳＳＣモードを決定することができないとき（例えば、ＵＥがアプリケーションからの要求を受信する前にＰＤＵセッションを確立しようとするとき（例えば、初期接続中）、またはアプリケーションがＳＳＣモードを要求しないとき）、ＵＥはデフォルトＳＳＣモードでＰＤＵセッションを要求する。デフォルトのＳＳＣモードは、上記の３つのＳＳＣモードのいずれかである。例えば、固定のＩｏＴセンサやスマートフォンでも、デフォルトでＳＳＣモード２が設定されてもよい。
【００１６】
新しいＰＤＵセッションを要求するとき、ＵＥはネットワーク（例えば、Ｎｏｎ−Ａｃｃｅｓｓ  Ｓｔｒａｔｕｍ（ＮＡＳ）シグナリングを使用したＮｅｘｔＧｅｎコアネットワーク）へのＰＤＵセッション設定シグナリングの一部として、要求されたＳＳＣモードを示してもよい。ＵＥに関連付けられた（サブスクライバデータベースに格納された）加入者情報は、データネットワークごとにサポートされるＳＳＣモードおよびデフォルトＳＳＣモードのリストを含む。このリストはサービングネットワークに提供される。したがって、新しいＰＤＵセッションを要求するときにＵＥがＳＳＣモードを提供しない場合（例えば、ＵＥにデフォルトＳＳＣモードが設定されていないとき）、ネットワークでは要求されたＰＤＵセッションに対してデフォルトＳＳＣモードが選択できる（例えば、加入者および／またはローカル設定毎）。いずれの場合でも、サービングネットワークでは、（加入者および／またはローカル設定に基づいて要求されたＳＳＣモードを修正することによって）ＵＥが要求したＳＳＣモードとは異なるＳＳＣモードが選択されてもよい。例えば、サービングネットワークでは、特定のデータネットワークに特定のＳＳＣモードを回避した方がいい場合もある（例えば、データネットワーク内にトラフィックが集中するリスクを減らすためにＳＳＣモード１を回避する）。ＲＡＮにとっては（例えば、ＲＡＮノードが加入者データ（subscription data）を直接利用できない場合があるなどの理由で）ＰＤＵセッションの適切なＳＳＣモードの選択は透過的である。適切なコアネットワーク制御プレーン機能（例えば、モビリティ管理エンティティなど）により、ＰＤＵセッションに適切なＳＳＣモードが選択される。
【００１７】
ＳＳＣモードを選択した後、ネットワークは、（ａ）ＵＥからのＰＤＵセッション要求を受け入れる（そして選択されたＳＳＣモードをＵＥに指示する）か、または（ｂ）ＰＤＵセッション要求を許否し（そして選択されたＳＳＣモードおよび原因値をＵＥに送信する）選択したＳＳＣモードは使用できないことを示す（ＵＥ内の他のＰＤＵセッションで既に使用されているなどの理由で）。ＰＤＵセッション要求が受け入れられると、ネットワークは新しいＰＤＵセッションにＴＵＰＦを選択する。ＴＵＰＦを選択するとき、ネットワークでは、ＵＥの現在の接続点および要求されたＳＳＣモード（もともとＵＥが要求したＳＳＣモード、またはサービングネットワークによって変更されたＳＳＣモード）が考慮に入れられる。
【００１８】
（ＳＳＣモード２のＰＤＵセッションを有する）ＵＥが同じＴＵＰＦ内のセル間を移動するとき、通常のハンドオーバ手順が使用されてもよい。しかし、ＵＥが異なるＴＵＰＦによってサービス提供されるセル（基地局）に移動するとき、いわゆるリダイレクション手順が使用される。これはＳＳＣモード２の場合「ノマディックモビリティ（nomadic mobility）」と呼ばれることがある。
【００１９】
リダイレクションは、現在のＴＵＰＦに関連付けられたユーザプレーンパスを解放し、その後新しいＴＵＰＦに対応するユーザプレーンパスを設定することを含む。ＵＥは、リダイレクション手順中に接続されたままである。一つの可能性として、ＴＵＰＦを再割り当てするときにＰＤＵセッションが保存される可能性もあり、もう一つの可能性として、ネットワークは現在のＴＵＰＦに対応するＵＥのＰＤＵセッションを切断し、その後新ＰＤＵセッションを直ちに再活性化するようにＵＥに要求し、新しいＴＵＰＦを選択させる可能性もある。
【００２０】
現在割り当てられているものとは異なるＴＵＰＦへのＵＥのＰＤＵセッションのリダイレクションを検討するとき、ネットワークでは、ＵＥのモビリティおよびローカルポリシー（例えば、現在割り当てられているＴＵＰＦのサービングエリアに関する情報）が考慮に入れられる。ネットワークでは、ＵＥのネットワークへの現在の接続点に基づいて新しいＴＵＰＦが選択される。
【００２１】
複数のＳＳＣモードを有する複数のＰＤＵセッションが同じＵＥに対して共存することができるので、リダイレクションを処理するためにＳｅｌｆ−Ｏｒｇａｎｉｓｉｎｇ  Ｎｅｔｗｏｒｋ（ＳＯＮ）タイプの機能が使用されることになる。例えば、企業が２つの基地局を運用しており、その基地局のうちの１つに新しいセルを追加する場合、ノマディックＵＥのモビリティは、このセルの追加に影響されてはならない（すなわち、もう一方の基地局を手動で再構成せずとも１つの基地局へのセルの追加、および／または既に追加されたセルの変更が可能であるべきである）。
【発明の概要】
【発明が解決しようとする課題】
【００２２】
しかし、３ＧＰＰではＴＵＰＦサービスエリアとセル／送信ポイントとの間のマッピングを、ＳＳＣモード２については定義していない。さらに、各アプリケーションは、異なる関連ＴＵＰＦおよび異なるＴＵＰＦサービスエリアを有してもよい。例えば、固定センサは単一セルのＴＵＰＦサービスエリアを有することがあり、その一方スマートフォンまたはノートパソコンは（例えば企業内の場合には）ネットワークの全セルを含むＴＵＰＦサービスエリアを有することがある。このようなマッピングは、ＵＥ、すなわちＳＳＣモード２を必要とするアプリケーションにも必要なことがある。３ＧＰＰはまた、ＳＳＣモード２のＰＤＵセッションのリダイレクションをサポートするための適切な手順を定義していない。これは、異なる製造者によって製造された基地局／ＴＵＰＦノード間の非互換性の問題の原因となる可能性があり、その結果ＴＵＰＦのリロケーション中にＵＥがネットワーク接続を失う可能性がある。
【００２３】
したがって、本発明の好適な実施形態の目的は、上記の問題を解決または少なくとも部分的に解決する方法および装置を提供することである。
【００２４】
当業者の理解の効率化のため、本発明は３ＧＰＰシステム（５Ｇネットワーク）の観点から詳細に説明されるが、本発明の原理は他のシステムにも適用することができる。
【課題を解決するための手段】
【００２５】
一態様では、本発明は、各セルがユーザプレーン機能（例えば、終端ユーザプレーン機能（Ｔｅｒｍｉｎａｔｉｎｇ  Ｕｓｅｒ−Ｐｌａｎｅ  Ｆｕｎｃｔｉｏｎ：ＴＵＰＦ））のそれぞれのサービングエリアに関連付けられている複数のセルを含む通信システムの基地局を提供し、前記基地局は、コントローラとトランシーバとを備え、前記コントローラは、前記基地局および前記ユーザプレーン機能を介して通信装置の通信セッションを制御し、前記コントローラは、前記基地局によって運用されるソースセルと、前記通信システムのターゲットセルとの間の前記通信装置のモビリティを制御し、前記ターゲットセルが前記基地局によって運用される前記ソースセルと同じユーザプレーン機能サービングエリアに関連付けられているが、前記コントローラが、前記ターゲットセルが関連付けられている前記ユーザプレーン機能サービングエリアが、前記ソースセルが関連付けられている前記ユーザプレーン機能サービングエリアと同一であると決定できない場合、前記コントローラは、前記ターゲットセルを運用する基地局が、前記ターゲットセルを介して前記通信装置の前記通信セッションの通信を受信する準備がされる前に前記ソースセルを介した前記通信装置の前記通信セッションの通信接続が切断される、リダイレクション手順を開始する。
【００２６】
他の態様では、本発明は、各セルが終端ユーザプレーン機能、ユーザプレーン機能のそれぞれのサービングエリアに関連付けられる複数のセルを含む通信システムの基地局を提供し、前記基地局は、コントローラとトランシーバとを備え、前記コントローラは、前記基地局および前記ユーザプレーン機能を介して通信装置の通信セッションを制御し、前記コントローラは、前記基地局によって運用されるソースセルと、前記通信システムのターゲットセルとの間の前記通信装置のモビリティを制御し、前記ターゲットセルが前記基地局によって運用される前記ソースセルと同じユーザプレーン機能サービングエリアに関連付けられ、前記コントローラが、前記ターゲットセルが関連付けられている前記ユーザプレーン機能サービングエリアが、前記ソースセルが関連付けられている前記ユーザプレーン機能サービングエリアと同一であると決定できる場合、前記コントローラは、前記ターゲットセルを運用する基地局が、前記ターゲットセルを介して前記通信装置の前記通信セッションの通信を受信する準備がされるまで前記ソースセルを介した前記通信装置の前記通信セッションの通信接続が切断されない、ハンドオーバ手順を開始する。
【００２７】
一態様では、本発明は、通信システムの無線アクセスネットワーク装置を提供し、前記無線アクセスネットワーク装置は、少なくとも１つの通信装置要求データフローに対して少なくとも１つの無線ベアラを設定するコントローラを備え、前記コントローラは、同一無線ベアラを使用する前記要求データフローに加えて、前記要求データフローのデータレート要件、及び追加のネットワーク開始データフロー（例えばプッシュ広告／ローカルコンテンツ／ローカル生成パケット）を提供するためのデータレート要件の両方を満たすのに十分な、向上されたデータレートを提供するように、前記少なくとも１つの通信装置要求データフローに対して前記少なくとも１つの無線ベアラを設定する。
【００２８】
他の態様では、本発明は、通信システムの無線アクセスネットワーク装置を提供し、前記無線アクセスネットワーク装置は、少なくとも１つの通信装置要求データフローに対して少なくとも１つの無線ベアラを設定するコントローラを備え、前記コントローラは、前記少なくとも１つの通信装置要求データフローに対する前記少なくとも１つの無線ベアラを設定することに加え、前記要求データフローに加えて、追加のネットワーク開始データフロー（例えばプッシュ広告／ローカルコンテンツ／ローカル生成パケット）を提供するための少なくとも１つのさらなるスタンドアローン無線ベアラを設定する。
【００２９】
他の態様では、本発明は、無線ローカルエリアネットワーク（Ｗｉｒｅｌｅｓｓ  Ｌｏｃａｌ  Ａｒｅａ  Ｎｅｔｗｏｒｋ：ＷＬＡＮ）アクセスポイントを含む通信システムの通信装置を提供し、前記通信装置は、コントローラとトランシーバとを備え、前記コントローラは、前記ＷＬＡＮアクセスポイントを介したＷＬＡＮシグナリングと、前記ＷＬＡＮアクセスポイントを介した非アクセス層（Ｎｏｎ−Ａｃｃｅｓｓ  Ｓｔｒａｔｕｍ：ＮＡＳ）シグナリングとの両方に対して前記トランシーバを制御する。
【００３０】
さらに他の態様では、本発明は、通信システムの無線ローカルエリアネットワーク（Ｗｉｒｅｌｅｓｓ  Ｌｏｃａｌ  Ａｒｅａ  Ｎｅｔｗｏｒｋ：ＷＬＡＮ）アクセスポイントを提供し、前記ＷＬＡＮアクセスポイントは、コントローラとトランシーバとを備え、前記コントローラは、通信装置からＷＬＡＮシグナリングと、非アクセス層（Ｎｏｎ−Ａｃｃｅｓｓ  Ｓｔｒａｔｕｍ：ＮＡＳ）シグナリングとの両方を受信し、前記ＮＡＳシグナリングをコアネットワークに転送するように前記トランシーバを制御する。
【００３１】
本発明の態様は、対応するシステム、方法、および上に述べた態様および可能性で説明した方法や請求項に記載の方法を、プログラマブルプロセッサが実行するようプログラムでき、および／また請求項のいずれかに記載の装置を提供する好適なコンピュータをプログラムできる命令を格納したコンピュータ可読記憶媒体などのコンピュータプログラム製品に及ぶ。
【００３２】
本明細書（以下、「本明細書」との用語は請求項を含む）に開示されおよび／または図面に示された各特徴は、他の開示および／または例示された特徴とは別に（または組み合わせて）本発明に組み込まれてもよい。特に、限定するものではないが、特定の独立請求項に従属する請求項の特徴はすべて、その独立請求項に任意の組み合わせでまたは個別に取り入れられてもよい。
【００３３】
本明細書に記載の様々な方法を実行するための特定の物理的構造（例えばコントローラおよびトランシーバ回路）を有する特定のハードウェア装置が開示されているが、説明に開示の方法の各ステップおよび／また請求項の一部を構成する各ステップは、そのステップを実行するための任意の適切な手段により実施される。これによれば、本発明の方法の各態様は、その方法の態様の各ステップを実行するための手段を含む対応する装置の態様を有する。
【００３４】
ここで、添付の図面を参照しながら、本発明の実施形態を例として説明する。
【図面の簡単な説明】
【００３５】
【図１】図１は、本発明の実施形態が適用され得るセルラー通信システムを概略図である。
【図２】図２は、図１に示すシステムの一部を構成する移動装置のブロック図である。
【図３】図３は、図１に示すシステムの一部を構成する基地局のブロック図である。
【図４】図４は、図１のシステムにおいて本発明の実施形態を実施することができる場合の例を示すタイミング図である。
【図５】図５は、図１のシステムにおいて本発明の別の実施形態を実施することができる場合を示すタイミング図である。
【図６】図６は、本発明の実施形態を適用できる別のセルラー通信システムの概略図である。
【図７】図７は、本発明の実施形態を適用できるさらに別のセルラー通信システムの概略図である。
【発明を実施するための形態】
【００３６】
概要
図１は、適切な無線アクセス技術（Ｒａｄｉｏ  Ａｃｃｅｓｓ  Ｔｅｃｈｎｏｌｏｇｙ：ＲＡＴ）を使用して、ユーザ装置３（携帯電話および／または他の移動装置）が基地局５（「ｅＮＢ」と示す）を介して互いに通信できる通信ネットワーク１を概略的に示す。当業者には理解されるように、説明のために１つの移動装置３および３つの基地局５Ａ、５Ｂ、５Ｃが図１に示されているが、実装された場合システムは、通常他の基地局および移動装置を含む。
【００３７】
各基地局５は１又は複数の関連セルを運用する。この例では、第１の基地局５ＡがセルＡを運用し、第２の基地局５ＢがセルＢを運用し、第３の基地局５ＣがセルＣを運用している。第１および第２の基地局５Ａおよび５Ｂは第１のサービスエリアに属し、終端ユーザプレーン機能（Ｔｅｒｍｉｎａｔｉｎｇ  Ｕｓｅｒ−Ｐｌａｎｅ  Ｆｕｎｃｔｉｏｎ：ＴＵＰＦ）６−１に結合されている。第３の基地局５Ｃは第２のサービスエリアに属し、上記ＴＵＰＦ６−１とは異なるＴＵＰＦ６−２に結合される。各ＴＵＰＦ６は、関連するコアネットワーク７内のエンティティ内、または基地局５が属する（ＲＡＮの構成部分ではないが）ＲＡＮのエッジに存在してもよい。
【００３８】
図１には図示しないが、基地局５は（例えば関連するＴＵＰＦ６および１又は複数のゲートウェイを介して）コアネットワーク７に接続され、隣接基地局もまた、直接または適切な基地局ゲートウェイを介して互いに接続される。コアネットワーク７は特に、制御プレーン管理エンティティおよびユーザプレーン管理エンティティ、基地局５と他のネットワーク（インターネットなど）との間の接続、または基地局５とコアネットワークの外部でホスティングされるサーバとの間の接続を提供するための１又は複数のゲートウェイ（ＧＷ）を含むことができる。
【００３９】
移動装置３は、対象のセルを操作する（運用する）基地局５と無線リソース制御（Ｒａｄｉｏ  Ｒｅｓｏｕｒｃｅ  Ｃｏｎｔｒｏｌ：ＲＲＣ）接続を確立することによって、（セルの位置および場合によっては他の要因、例えば信号状態、加入者データ（subscription data）、能力などに応じて）適切なセルに接続する。移動装置３および基地局５（およびネットワーク内の他の送信ポイント）は、使用されるＲＡＴに依存する適切な無線インタフェースを介して通信する。移動装置３は、移動装置３にサービスを提供する基地局５によって移動装置３と適切なコアネットワークノードとの間で中継される、いわゆる非アクセス層（Ｎｏｎ−Ａｃｃｅｓｓ  Ｓｔｒａｔｕｍ：ＮＡＳ）シグナリングを使ってコアネットワークノード（例えば、ＴＵＰＦ６）と通信する。
【００４０】
図１に示す例では、移動装置３は、ＳＳＣモード２で（例えば、ノマディックＩＰアドレスを使用し）ネットワークとのＰＤＵ接続がある。移動装置３は最初に、ＴＵＰＦ６−１によって管理されるセルＡ（基地局５Ａ）に接続される。この例では、ＴＵＰＦ＃１サービングエリアに２つのセル、すなわちセルＡおよびセルＢがある。したがって、移動装置３がセルＡとセルＢとの間を（ＴＵＰＦ＃１内で）移動するとき、通常のハンドオーバ手順が使用される。しかし、移動装置３がＴＵＰＦ＃２サービスエリアに属するセルＣを横切って移動する場合、リダイレクション手順が使用され、それによって移動装置３のＴＵＰＦ６−１へのユーザプレーン（ＰＤＵ）接続が解除（解放）され、移動装置３は、（基地局５Ｃを介して）ＴＵＰＦ６−２との新しい接続を開始する。
【００４１】
ＳＳＣモードおよび割り当てるノマディックＩＰアドレスの選択はＲＡＮ（基地局５）に透過的であるので、現在のサービング基地局５は、移動装置３がその基地局５のセルにカバーされるエリアを出ようとするとき、ハンドオーバを開始するかまたはリダイレクションを開始するかを知る必要がある。
【００４２】
有利には、基地局５は以下の選択肢のうちの１つに従うように構成される。
【００４３】
１つの選択肢として、基地局５は、セルが変わる度にＴＵＰＦ６も変化すると仮定し（すなわち、各ＴＵＰＦサービスエリアにセルが１つと仮定し）、セルが変わる度にリダイレクション手順をトリガするように構成されてもよい。この場合、移動装置３は、新しいサービング基地局５との新しい接続を作成（確立）する前に、現在のサービング基地局５との接続を切断する必要がある。この選択肢は、ワイヤレスローカルエリアネットワーク（Ｗｉｒｅｌｅｓｓ  Ｌｏｃａｌ  Ａｒｅａ  Ｎｅｔｗｏｒｋ：ＷＬＡＮ）のアクセスポイント間でモビリティサポートが提供される場合に効果的である。基地局５は、セルとＴＵＰＦサービスエリアとの間のマッピング、および移動装置３が使用するＳＳＣモードを格納する必要はない。
【００４４】
別の選択肢として、基地局５は、セル、ＴＵＰＦサービスエリア、およびＳＳＣモード間のマッピングを格納するように構成されてもよい。この場合、基地局（例えば、基地局５Ａおよび５Ｂ）は、適切なハンドオーバ手順を実行することによって、あるＴＵＰＦ６のカバレッジ内で（例えば、ＴＵＰＦ６−１によって制御されるセルＡとセルＢとの間で）シームレスなモビリティを可能とすることができる。しかし、ＴＵＰＦ間モビリティ（例えば、それぞれ異なるＴＵＰＦサービングエリアに属するセルＢとセルＣとの間）の場合、モビリティはリロケーション手順を通じて提供される。すなわち、移動装置３は新しいサービング基地局（例えば、基地局５Ｃ）との接続を作成（確立）する前に現在のサービング基地局（例えば、基地局５Ｂ）との接続を切断する必要がある。
【００４５】
移動装置
図２は、図１に示した移動装置３の主要な構成要素（例えば、携帯電話または他のユーザ装置）を示すブロック図である。図示するように、移動装置３は、１又は複数のアンテナ３３を介して基地局５と信号を送受信するように動作可能なトランシーバ回路３１を有する。移動装置３は、移動装置３の動作を制御するコントローラ３７を有する。コントローラ３７は、メモリ３９と関連付けられ、トランシーバ回路３１に結合されている。当然ながら、移動装置３は従来の携帯電話３としてのすべての通常の機能（例えば、ユーザインタフェース３５）を有してもよいが、動作上必ずしも必要ではない。また、その機能はハードウェア、ソフトウェアおよびファームウェアのうちのいずれか１つまたは任意の組み合わせによって適宜提供されてもよい。ソフトウェアは、メモリ３９に予めインストールされていてもよく、および／または、例えば通信ネットワークを介して、または取り外し可能データ記憶装置（ＲＭＤ：removable data storage device）からダウンロードされてもよい。
【００４６】
この例では、コントローラ３７はメモリ３９に記憶されているプログラム命令またはソフトウェア命令によって移動装置３の全体的な動作を制御するように構成される。図示するように、このソフトウェア命令は、オペレーティングシステム４１、通信制御モジュール４３、ＳＳＣモジュール４４、モビリティモジュール４５、およびセル測定モジュール４６等を含む。
【００４７】
通信制御モジュール４３は、移動装置３と、そのサービング基地局５（およびサービング基地局５に接続された他の移動装置などの通信装置および／またはネットワークノード）との間の通信を制御するように動作可能である。
【００４８】
ＳＳＣモジュール４４は、それぞれの関連するＳＳＣモードに基づいて、移動装置３がネットワークとの間に有する各ＰＤＵセッションのセッションおよびサービスの継続性の管理を担う。ＳＳＣモジュール４４は、適切なＳＳＣモードを、移動装置３内の各アプリケーションおよび／またはＰＤＵセッションを要求する各アプリケーションに関連付けるように構成される。ＳＳＣモードは、（所定の）設定されたポリシー、（例えば、新しいＰＤＵセッションを要求する場合に）アプリケーションにより提供される情報、（例えば、ＰＤＵセッションを受け入れる場合に）ネットワークにより提供される情報に基づいて、アプリケーション／ＰＤＵセッションに関連付けられてもよい。
【００４９】
モビリティモジュール４５は、移動装置３が通信ネットワーク１によってカバーされるエリア内を移動している間に、（基地局５の）適切なセルを介してネットワーク接続を維持することを担う。モビリティモジュール４５は、信号条件などに応じてセル再選択（セルリセレクション）手順および／またはハンドオーバ手順を実行することによってネットワーク接続を維持する。例えば、信号状態の変化、現在のセル内のネットワーク負荷などのために、移動装置３が静止したままであるときでも、モビリティモジュール４５はセル再選択および／またはハンドオーバ手順を実行してもよいこととする。モビリティモジュール４５は、例えば、使用されるＩＰアドレスの種類、使用されるＳＳＣモード、移動装置３に割り当てられたＴＵＰＦ／ＴＵＰＦ領域を特定（識別）する情報を含む、移動装置３のネットワーク接続（ＰＤＵセッション）に関する情報を交換するために、サービング基地局５および／またはコアネットワークノードと通信する。
【００５０】
セル測定モジュール４６は、移動装置３の近隣にあるセルの信号品質測定値を取得し、関連するセルの測定報告（メジャメントレポート：measurement report）を生成してサービング基地局５に提供することを担う。信号品質測定および報告は、サービング基地局５によって提供される適切な測定設定（メジャメント設定：measurement configuration）に基づいて行われる。
【００５１】
基地局
図３は、図１に示す基地局５の主要構成要素を示すブロック図である。図示のように、基地局５は、１又は複数のアンテナ５３を介して通信装置（移動装置３やユーザ装置など）と信号を送受信するためのトランシーバ回路５１、およびネットワークノード（例えば、関連するＴＵＰＦコントローラ６および／またはコアネットワーク７内の他のノード）との間で信号を送受信するためのネットワークインタフェース５５を有する。基地局５は、基地局５の動作を制御するためのコントローラ５７を有する。コントローラ５７は、メモリ５９に関連付けられる。ソフトウェアは、メモリ５９に予めインストールされてもよく、および／または例えば通信ネットワーク１を介して、または取り外し可能データ記憶装置（ＲＭＤ）からダウンロードされてもよい。コントローラ５７は、この例では、メモリ５９に格納されたプログラム命令またはソフトウェア命令によって基地局５の全体的な動作を制御するように構成される。図示するように、これらのソフトウェア命令は、オペレーティングシステム６１、通信制御モジュール６３、ＳＳＣモジュール６４、および測定設定モジュール６６等を含む。
【００５２】
通信制御モジュール６３は、基地局５と、移動装置３（ユーザ装置）と、基地局５に接続されている他のネットワークエンティティとの間の通信を制御するように動作可能である。通信制御モジュール６３はまた、（関連するデータ無線ベアラを介して）ダウンリンクユーザトラフィックの別々のフローと、例えばコアネットワークサービスの制御データおよび／または移動装置３のモビリティなどの基地局５に関連する、通信装置に送信される制御データを制御する。
【００５３】
ＳＳＣモジュール６４は、（ＵＥおよび／またはＰＤＵセッションごとに）ＴＵＰＦサービスエリア、セル、およびＳＳＣモード間の関係を特定するマッピングデータベースの管理を担う。ＳＳＣモジュール６４は、必要に応じこの情報を他のモジュールに提供するように動作可能である。例えば、ＳＳＣモジュール６４は、隣接セルがこの基地局５によって運用されるセルと同じまたは異なるＴＵＰＦサービングエリアに属するかどうかを測定設定モジュール６６に通知してもよい。
【００５４】
測定設定モジュール６６は、移動装置３の近隣にあるセル（例えば、この基地局５によって運用されるセルおよび／または隣接基地局によって運用されるセル）の信号品質測定を行い報告するための移動装置３の設定を担う。測定設定モジュール６６は、測定設定を生成して特定の移動装置３に送信し、関連する測定報告を受信することで信号品質測定値を取得する。測定報告は、例えば、報告を提供した移動装置３に対するモビリティ手順を実行するときに使用されてもよい。
【００５５】
上記の説明では、分かりやすくするため、移動装置３および基地局５は（通信制御モジュールおよびＳＳＣモジュールなどの）いくつかの個別のモジュールを有するとしている。これらのモジュールは、例えば既存のシステムが本発明を実施するように変更されているような特定の用途においては上記のように提供されるが、一方、例えば最初から本発明の特徴を念頭に置いて設計されたシステムのような用途の場合、これらのモジュールはオペレーティングシステム全体またはコードに組み込まれることがあり、その場合これらのモジュールは個別のエンティティとして認識されない場合がある。これらのモジュールは、ソフトウェア、ハードウェア、ファームウェア、またはこれらの組み合わせで実装できる。
【００５６】
図４および図５を参照し、ＳＳＣモード２で少なくとも１つのＰＤＵセッションを動作させている間に移動装置がセルを変更する上記のシナリオについて、より詳細に説明する。
【００５７】
動作−第１の例
図４は、セルＡとセルＢとの間でモビリティ手順を実行するときにシステム１の構成要素によって実行されるプロセスの例を示すタイミング図（メッセージシーケンスチャート）である。
【００５８】
まずステップＳ１００に概略的に示すように、移動装置３は（自装置のモビリティモジュール４５を使用して）、ＴＵＰＦ６−１によって管理されるサービングエリアに属する（基地局５Ａによって運用される）セルＡに接続する。このステップの一部として、移動装置３は（自装置の通信制御モジュール４３を使用して）、（ＴＵＰＦ６−１を介して）コアネットワーク７に向けて適切なＰＤＵセッションを開始する。この例では、ＰＤＵセッションはノマディックＩＰアドレスおよびＳＳＣモード２を使用する。ＰＤＵセッションを確立するとき、移動装置３は（自装置のモビリティモジュール４５を使用して）このＰＤＵセッションを処理するＴＵＰＦ６−１（および／またはＴＵＰＦサービスエリア）を特定する情報を、例えば、コアネットワーク７から（またはＰＤＵセッションを確立したアプリケーションから）受信したＮＡＳシグナリングから取得する。移動装置３はまた（自装置のモビリティモジュール４５を使用して）、そのＰＤＵセッションに使用されるＩＰアドレスおよびＳＳＣモードの種類（この例では、ノマディックＩＰアドレスおよびＳＳＣモード２）およびＴＵＰＦ／ＴＵＰＦサービスエリア識別子をサービング基地局５Ａに通知する。
【００５９】
したがって、ステップＳ１０１に概略的に示すように、サービング基地局５Ａは（自局のＳＳＣモジュール６４を使用して）、ＰＤＵセッションのために移動装置３がＳＳＣモード２を使用していることを特定する情報およびＴＵＰＦ６−１（ＴＵＰＦエリア）を特定する情報を格納する。しかしこの場合、サービング基地局５Ａは、隣接セル（例えばセルＢ）が移動装置３の現在のセル（セルＡ）と同じＴＵＰＦサービングエリアに属するかどうかに関する情報は有していなくてもよい。あるいは、サービング基地局５Ａは、隣接セル（例えばセルＢ）が移動装置３の現在のセル（セルＡ）と同じまたは異なるＴＵＰＦサービングエリアに属するかどうかを特定する情報を格納してもよい。
【００６０】
実質的には、この例では、基地局５は、ＴＵＰＦ６−１のサービングエリアを単一のセルＴＵＰＦエリア（つまり、現在のセルＡのみを含む）として扱うように構成される。したがって、隣接セル（この例ではセルＢ）が現在のセル（セルＡ）と同じまたは異なるＴＵＰＦサービングエリアに属するかどうかにかかわらず、移動装置３がその隣接セルに移動するとき、基地局５は移動装置３のためにリダイレクションを開始するように構成される。
【００６１】
この例では、移動装置３がセルＡによってサービス提供されるエリアを離れるとき、基地局５は（自局の通信制御モジュール６３を使用して）隣接セル（例えば、セルＢ）、つまり移動装置３のターゲットサービングセルに関する情報を含む適切なシグナリングメッセージを生成し、ステップＳ１０３において移動装置３に送信する。隣接セルに関する情報は、例えば、ターゲットセルを特定する情報（例えば、セルＢに関連付けられたセルＩＤ）やシステム情報などのような支援情報（assistance information）を含む。簡略化のため、図４には示されていないが、ターゲットセルを選択する前に、基地局５は（自局の測定設定モジュール６６を使用して）、（自装置のセル測定モジュール４６を使用して）適切な信号品質測定および関連する報告を実行するように移動装置３を設定してもよい。この場合、基地局５は、セル測定の結果に基づいてターゲットセルを選択するように構成されてもよい。
【００６２】
ステップＳ１０５では、移動装置３はセル再選択（セルリセレクション）を実行し、（ステップＳ１０７において）新しい基地局５Ｂによって（セルＢを介して）報知された（ブロードキャストされた）情報に基づいて、移動装置３は、（移動装置３がリダイレクションを実行したとしても）同じＴＵＰＦ６−１（および／または同じＴＵＰＦサービスエリア）が新しいセルＢでＰＤＵセッションの処理を継続すると決定する。新しい基地局５Ｂにより報知される情報は、ステップＳ１０３において以前の基地局が提供した支援情報と同じ情報を含んでもよい。したがって、ステップＳ１０３の実行は任意としてもよい。この情報は、セル再選択後に移動装置３が新しいセルに在圏するのを支援することを目的とする。
【００６３】
ステップＳ１０９において、移動装置３は、（セルＢを運用する）新しいサービング基地局５Ｂとの接続を確立するための適切にフォーマットされたシグナリングメッセージ（例えば、ＲＲＣメッセージ）を生成して送信する。ステップＳ１１１において、新しいサービング基地局５Ｂは、以前のサービング基地局５Ａから移動装置３に関連する情報（例えば、ＵＥコンテキスト）を取得し、ステップＳ１１３において、以前の基地局５Ａは移動装置３とセルＡを介した接続を解除（解放）する。この接続の解除（解放）（ステップＳ１１３）は、後の（または前の）段階で起こり得る。
【００６４】
以前の基地局５Ａから取得した情報を使用して、新しい基地局５Ｂは自局のセル（セルＢ）を介して移動装置３へのＰＤＵセッションの提供を継続することができ、移動装置３はコアネットワークに接続されたままである（コアネットワークに再登録して新しいＰＤＵセッションを確立する必要はない）。
【００６５】
Ｓ１０１において基地局５Ａが（セルＡについて）格納した情報は、（例えば、図５を参照して以下に説明されるように）後で使用するために格納されてもよい。実質的には、基地局５Ａは、どの隣接セルがどのＴＵＰＦサービングエリアに属するかを学習し、この基地局５Ａによってサービス提供される移動装置３の移動中に、（同じＴＵＰＦエリア内で）ハンドオーバまたは（異なるＴＵＰＦエリアへの）リダイレクションをトリガするかを決定するときに、この学習結果を適用するように構成されてもよい。
【００６６】
動作−第２の例
図５は、セルＡとセルＢとの間でモビリティ手順を実行するときにシステム１の構成要素によって実行される処理の例を示すタイミング図（メッセージシーケンスチャート）である。この例では、ターゲットセル（セルＢ）が移動装置３の現在のセル（セルＡ）と同じＴＵＰＦサービングエリアに属するという情報を、サービング基地局５Ａが有する。基地局５Ａは、ＴＵＰＦサービスエリア（ＬＴＥにおけるトラッキングエリアと同様に）、ＳＳＣモード、及び関連セルの間のマッピングを認識している。
【００６７】
ＴＵＰＦサービスエリアが複数のセルを含む場合（例えば、図１のＴＵＰＦ＃１サービングエリア）、ハンドオーバはＴＵＰＦサービスエリア内で許可される。しかし、（異なるＴＵＰＦエリアに属するセル間の移動装置３の移動により）ＴＵＰＦサービスエリアが変わる場合、（例えば、図４を参照して上述したように）リダイレクションが実行される。
【００６８】
まず、ステップＳ２００に概略的に示すように、移動装置３は（自装置のモビリティモジュール４５を使用して）ＴＵＰＦ６−１によって管理されるサービングエリアに属する（基地局５Ａが運用する）セルＡに接続する。ステップＳ２００は、図４のステップＳ１００に対応する。つまり、移動装置３は、（この例では）ノマディックＩＰアドレスおよびＳＳＣモード２を使用して（ＴＵＰＦ６−１を介して）コアネットワーク７に向けて適切なＰＤＵセッションを開始する。移動装置３は、このＰＤＵセッションを扱うＴＵＰＦ６−１（および／またはＴＵＰＦサービスエリア）を特定する情報を取得し、このＰＤＵセッションに使用されるＩＰアドレスおよびＳＳＣモードのタイプとＴＵＰＦ／ＴＵＰＦサービスエリア識別子を、サービング基地局５Ａに通知する。
【００６９】
したがって、ステップＳ２０１に概略的に示すように、サービング基地局５Ａは（自局ＳＳＣモジュール６４を使用し）、ＰＤＵセッションのために移動装置３がＳＳＣモード２を使用していることを特定する情報およびＴＵＰＦ６−１（ＴＵＰＦエリア）を特定する情報を格納する。この場合、サービング基地局５Ａは、隣接セル（例えば、セルＢ）が移動装置３の現在のセル（セルＡ）と同じＴＵＰＦサービングエリアに属することを特定する情報も格納する。したがって、セルＢに関しては、基地局５Ａはリダイレクションの代わりにハンドオーバを実行するように構成される。
【００７０】
具体的には、ステップＳ２０２に概略的に示すように、基地局５Ａは（自局の信号設定モジュール６６を使用して）、（セルＢを含む）隣接セルの集合（セット）に適切な信号品質測定および関連する報告を実行するように移動装置３を設定する。ステップＳ２０４において、移動装置３は（自装置のセル測定モジュール４６を使用して）、設定された信号品質測定を（セルＢに）実行し、適切な測定報告を生成する。ステップＳ２０６において、移動装置３は（セルＢの測定結果を含む）生成した測定報告を基地局５Ａに送信する。この例では、移動装置３はまた、特定のセルが現在のセル（セルＡ）と同じＴＵＰＦサービスエリアの一部か否かを（例えば、測定報告を含むメッセージまたは同様のメッセージで）サービング基地局５Ａに通知する。例えば、各基地局５は、そのセルに関連付けられたＴＵＰＦサービスエリアを移動装置３に報知する（または専用シグナリングを介して通知する）ように構成されてもよく、移動装置３は、現在のＴＵＰＦサービスエリアが、隣接セル（少なくとも移動装置３が測定を実行するように構成されるセル）に関連するＴＵＰＦサービスエリアのうちのいずれかと一致するかを決定するように構成されていてもよい。
【００７１】
したがって、基地局５Ａはセル測定の結果と、特定のセルが現在のサービングセルと同じＴＵＰＦエリアに属するかどうかに関する情報とに基づいて、移動装置３に適切な対象セルを選択することができる。この例では、（例えば、セルＢがハンドオーバの条件を満たす最良のセルであり、セルＢが現在のサービングセル、つまりセルＡと同じＴＵＰＦサービングエリア内にあるので）基地局５Ａは（基地局５Ｂによって運用される）セルＢを移動装置３のハンドオーバターゲットセルとして選択する。したがって、基地局５Ａは（自局の通信制御モジュール６３を使用して）ステップＳ２０８において、移動装置３のハンドオーバ準備（handover preparation）のために、セルＢを運用する基地局５Ｂに適切なシグナリングメッセージを生成して送信する。
【００７２】
ステップＳ２１３において、基地局５Ａは（自局の通信制御モジュール６３を使用して）セルＢへのハンドオーバを開始するよう移動装置３に指示するシグナリングメッセージを生成して送信する。したがって、新しい基地局５Ｂとの適切な接続を確立した後、移動装置３はセルＢに接続され（ステップＳ２１５）、（同じＴＵＰＦサービングエリア内の）新しい基地局５Ｂを介してＰＤＵセッションを続ける。
【００７３】
ステップＳ２１７に概略的に示すように、基地局５Ａは既に移動装置３にサービスを提供していないので、以前のサービング基地局５Ａは、適宜ＴＵＰＦ６−１との接続の解除またはリダイレクション手順の実行に進むことができる。
【００７４】
修正例および代替例
詳細な実施形態を上記で説明した。当業者には理解されるように、上記の実施形態で説明した発明から利益を受けつつ、上記の実施形態に対していくつか修正および代替を行うことができる。実例として、これらの代替例および修正例をいくつか説明する。
【００７５】
上記の説明では、ＴＵＰＦエンティティはスタンドアローンネットワークノードとして説明されている。しかし、ＴＵＰＦはパケットデータネットワーク（ＰＤＮ：packet data network）ゲートウェイ（Ｐ−ＧＷ）機能も有してもよいが、ＴＵＰＦエンティティはＬＴＥにおけるサービングゲートウェイ（Ｓ−ＧＷ：serving gateway）と同様であってもよい。したがって、ＴＵＰＦはＳ−ＧＷおよび／またはＰ−ＧＷの一部であってもよい。また、ＴＵＰＦ以外の同様の機能を有するユーザプレーン機能を、本明細書に記載のＴＵＰＦの代わりに使用されてもよい。
【００７６】
ステップＳ２００およびＳ２０１の上記の説明では、移動装置は、要求されたＰＤＵセッションに使用されるＩＰアドレスとＳＳＣモードの種類、およびこのセッションに選択されたＴＵＰＦ／ＴＵＰＦサービスエリアの識別子をサービング基地局に通知する。代替的に、基地局は、コアネットワークからそのような情報（例えば、ＴＵＰＦサービスエリアと各ＳＳＣモードのセルとの間のマッピングを特定する情報）を取得するように構成されていてもよい。
【００７７】
上記の例では、第１および第２の基地局（セルＡおよびＢ）は第１のＴＵＰＦサービスエリアに属し、第３の基地局（セルＣ）は第２のＴＵＰＦサービスエリアに属する。サービスは特定のＵＥ（および／または特定のアプリケーション）に適用可能としてもよく、ＵＥ（および／または同じＵＥ内の異なるアプリケーション）はそれぞれ、異なる関連ＴＵＰＦサービングエリアを有してもよい。例えば、特定のアプリケーション／ＵＥは、ネットワーク全体に渡って１つのＴＵＰＦサービスエリア（例えば、図１のセルＡ、Ｂ、およびＣ）を有するが、それとは違うアプリケーション／ＵＥはＴＵＰＦサービスエリアの定義が違っていてもよい（例えば、あるＴＵＰＦエリア内ではセルＡで、異なるＴＵＰＦエリア内ではセルＢおよびＣなど）。
【００７８】
基地局は、どのセルをハンドオーバに使用することができ、どのセルをリダイレクションに使用することができるかを特定する情報を格納し各局のモビリティ決定に適用するように構成されてもよい。この情報は、ＵＥ（加入者）毎およびサービス毎（および適宜アプリケーション毎）に格納できる。この情報により、（同じＳＳＣモードであっても）ニーズが異なるさまざまなアプリケーションを柔軟に展開できる。例えば、業務用アプリケーション（enterprise application）は、同じセル内（および同じ移動装置用）の個人用アプリケーションとは異なる方法で処理されることがある。
【００７９】
＜スタンドアローンＷＬＡＮ＞
無線アクセスネットワークはＷＬＡＮ、例えば図６に示すＷＬＡＮを含んでもよい。ＷＬＡＮは（１又は複数の関連するアクセスポイントによって運用される）１又は複数のセルを有してもよい。ＷＬＡＮ／アクセスポイントは、３ＧＰＰ  ＮｅｘｔＧｅｎコアネットワークとＷＬＡＮ（この場合はＮｅｘｔＧｅｎ  ＲＡＮとして動作する）との間で制御プレーンおよびユーザプレーンデータを通信するための適切なインタフェースを介してＮｅｘｔＧｅｎコアネットワークに接続してもよい。ＷＬＡＮの各セル（例えば、アクセスポイント５Ｗによって運用される「セルＷ」）は、個別のＴＵＰＦエリアとして扱われてもよい。したがって、ＷＬＡＮのセル間の移動装置のモビリティは、リダイレクション手順を使って実現されてもよい。あるいは、ＷＬＡＮのいくつか（またはすべて）のセルが同じＴＵＰＦエリアに割り当てられてもよい。この場合、図４を参照して説明した手順を適用することができる（すなわち、同じＴＵＰＦエリアに属するセル間でリダイレクションをトリガする）。
【００８０】
移動装置がＷＬＡＮにおいて３ＧＰＰ  ＮｅｘＧｅｎ手順を実施することができるよう、ＮＡＳレイヤがＷＬＡＮレイヤ／ＷＬＡＮスタックの上に（例えば、ＵＥのＷＬＡＮチップセットにおいて）提供されていてもよい。したがって、移動装置のＷＬＡＮチップセットは、適切なＮＡＳシグナリングを使用してＮｅｘｔＧｅｎコアネットワークと通信するように構成されていてもよい。
【００８１】
ＮＡＳレイヤは、（ＷＬＡＮ／ＲＡＮにおける）セッションおよびサービスの継続性を含む、移動装置のモビリティ管理（Ｍｏｂｉｌｉｔｙ  Ｍａｎａｇｅｍｅｎｔ：ＭＭ）、セッション管理（Ｓｅｓｓｉｏｎ  Ｍａｎａｇｅｍｅｎｔ：ＳＭ）、および接続管理（Ｃｏｎｎｅｃｔｉｏｎ  Ｍａｎａｇｅｍｅｎｔ：ＣＭ）を担う。
【００８２】
ＮＡＳレイヤセキュリティ手順は、すべてのアクセスＲＡＴを承認および認証するために使用されてもよい。ネットワーク側のセキュリティアンカーとＳＭ／ＭＭエンティティは異なる場合があるが、移動装置の観点からは、単一のＮＡＳレイヤで十分である。ＷＬＡＮセキュリティは、（例えば、移動装置が最初にＷＬＡＮに接続するときに）例えば、移動装置を認証するために適切な「Ｋｗｔ」キーをサービングＷＬＡＮアクセスポイントに提供することにより、３ＧＰＰパラメータから導き出されてもよい。そのようなＫｗｔキーは、ＷＬＡＮセキュリティのためにＬＴＥ−ＷＬＡＮアグリゲーション（ＬＷＡ：LTE-WLAN aggregation）で現在使用されている「ＳＫｗｔ」キーと同様（または同一）であってもよい。
【００８３】
移動装置は、（例えば、その移動装置がＷＬＡＮおよびＮｅｘＧｅｎ  ＲＡＮに同時に接続されているときに）そのＷＬＡＮ接続を有利に使用して、ＲＡＮ上の無線リンク障害（Ｒａｄｉｏ  Ｌｉｎｋ  Ｆａｉｌｕｒｅ：ＲＬＦ）の発生をコアネットワークに示してもよい（あるいはＲＡＮ接続を有利に使用し、ＷＬＡＮ上の無線リンク障害の発生をコアネットワークに示してもよい）。これにより、移動装置のサービス継続性が向上する。
【００８４】
＜（ＮｅｘｔＧｅｎ）  ＲＡＮエッジでのＳＭ／ＭＭエンティティ＞
図７は、例示的な制御プレーン（Ｃｏｎｔｒｏｌ−Ｐｌａｎｅ：ＣＰ）およびユーザプレーン（Ｕｓｅｒ−Ｐｌａｎｅ：ＵＰ）アーキテクチャを示す。図示するようにこの場合、適切なＵＰエンティティがＲＡＮのエッジにおいて提供される（ＵＰ  ＧＡ  １２Ａと示す）。ＵＰエンティティは、プッシュ型広告の配信および／またはＲＡＮ内の移動装置に他の同様のスモールデータ送信をするために（例えば、その目的で既存のＲＡＮベアラを再利用するために）ネットワークオペレータによって使用されてもよい。あるいは、そのようなスモールデータは、他の任意のＲＡＮエンティティ（例えば、ルータ、アグリゲータ、スイッチ、または基地局自体）からプッシュされてもよい。
【００８５】
また、コンテンツが、（そのコンテンツに対して）別のＩＰフローを作成しなくても、基地局またはエッジノードからプッシュされてもよい。ＷＬＡＮは、プッシュ広告の可能性があり、Ｗｅｂブラウザは、ローカルコンテンツ（主に広告）を表示する。したがって、５Ｇ  ＲＡＮは同じ可能性を提供するようにしてもよい。１つの選択肢として、無線ベアラをオーバープロビジョニングすること（つまり、無線ベアラが設定されているデータの上にそのようなプッシュ広告／小さなデータを送信する余地を残すこと）がある。例えば、ＩＰフロー＃１が（特定の移動装置に対して）５ＭＢＰＳであり、対応する無線ベアラが（基地局によって）５．５ＭＢＰＳで設定されている場合、その移動装置（その無線ベアラを介して）にローカル（プッシュ）コンテンツを送信するために０．５ＭＢＰＳを使用することができる。
【００８６】
この場合、有益には、（プッシュ）コンテンツは、（コンテンツは基地局のＰＤＣＰレイヤの上にプッシュされるため）この無線ベアラに対する通常のデータと同じセキュリティアルゴリズムを使用して暗号化されてもよい。受信機側では、そのようなオーバープロビジョニングされた無線ベアラを介して受信されたパケットを分離するために適切なメカニズムが提供されてもよい。送信側（基地局）側では、対応するＩＰフローのためにマークされたパケットが検出されてもよく、（追加の）ローカルコンテンツが無線ベアラのオーバープロビジョニングされた部分を使用して同じ宛先アドレスでプッシュされてもよい。
【００８７】
（移動装置上で実行されている）ウェブブラウザは、ＵＥアクセス層（ＡＳ：access stratum）または非アクセス層（Ｎｏｎ−Ａｃｃｅｓｓ  Ｓｔｒａｔｕｍ：ＮＡＳ）レイヤにおいて、パケットの分離が必要なくなるように、（移動装置自体によって要求された）元のコンテンツおよび任意のローカルにプッシュされたコンテンツ（例えば、基地局からのプッシュ広告）を公開／表示することができる。
【００８８】
（ＣＮ側にＩＰフローがないことに対応する）適切なスタンドアローン無線ベアラ設定がローカルで生成されたパケットに対するオーバープロビジョニングの代わりに使用されてもよい。有利には、そのようなスタンドアローン無線ベアラを使用する場合、パケットがＳＭ／ＭＭエンティティの関与なしに移動装置に送信されてもよい。この解決策は、ネットワーク内のｅＮＢの上にあるルータまたはＴＮＬアグリゲータノードまたは任意の他のノード（例えば、いずれかの３ＧＰＰプロトコルを終端していないノード）において実施されてもよい。
【００８９】
上記の実施形態では、基地局は３ＧＰＰ無線通信（無線アクセス）技術を使用して移動装置と通信する。しかし、いずれかの他の無線通信技術（つまり、ＷＬＡＮ、Ｗｉ−Ｆｉ、ＷｉＭＡＸ、Ｂｌｕｅｔｏｏｔｈ（登録商標）など）を、上記の実施形態に従って基地局と移動装置との間で使用することができる。上記の実施形態は、「非移動式（non-mobile）」または一般的に静止しているユーザ装置にも適用することができる。
【００９０】
上記では、移動装置および基地局は、理解を容易にするために、いくつかの個別の機能構成要素またはモジュールを有するものとして説明されている。これらのモジュールは、例えば既存のシステムが本発明を実施するように変更されるような特定の用途に提供されてもよく、一方で例えば最初から本発明の特徴を念頭に置いて設計されたシステムにも提供されてもよい。その場合、これらのモジュールはオペレーティングシステム全体またはコードに組み込まれ、これらのモジュールは個別のエンティティとして認識されない場合がある。
【００９１】
上記の実施形態では、いくつかのソフトウェアモジュールを説明した。当業者には理解されるように、ソフトウェアモジュールは、コンパイルされた形式またはコンパイルされていない形式で提供されてもよく、コンピュータネットワーク上の信号として基地局、モビリティ管理エンティティ、または移動装置に提供されてもよく、または記録媒体に提供されてもよい。さらに、このソフトウェアの一部または全部によって実行される機能は、１又は複数の専用ハードウェア回路を使用して実行されてもよい。しかし、それらの機能を更新するための基地局または移動装置の更新を容易にするので、ソフトウェアモジュールを使用することが好ましい。
【００９２】
ターゲットセルは、基地局によって運用されるソースセルと同じユーザプレーン機能サービングエリアに関連付けられてもよく、基地局のコントローラは、ターゲットセルが関連付けられているユーザプレーン機能サービングエリアは、ソースセルが関連付けられているユーザプレーン機能サービングエリアと同じであると決定することができてもよい。この場合、基地局のコントローラは、ターゲットセルを運用する基地局がターゲットセルを介して通信装置の通信セッションのための通信を受信する準備がされるまでソースセルを介した通信装置の通信セッションのための通信接続が切断されないハンドオーバ手順を開始するように動作することができる。
【００９３】
基地局のコントローラは、（例えば、所定のユーザプレーン機能サービスエリア上の通信システムにおける通信セッションにインターネットプロトコル、ＩＰ、セッション継続性、およびＩＰアドレスの到達可能性が必要かどうかを決定することによって）通信装置の通信セッションに関連するセッションおよびサービス継続性（ＳＳＣ）モードを決定するように動作してもよい。例えばコントローラは、通信セッションの確立中に、通信装置のための通信セッションに関連するＳＳＣモードを決定するように動作してもよい。
【００９４】
ターゲットセルは、基地局によって動作されるソースセルと同じユーザプレーン機能サービングエリアに関連付けられてもよく、その場合、ＳＳＣモード（例えば、ＳＳＣモード２）は、通信セッションが（例えば、通信セッションがＩＰセッション継続性またはＩＰアドレス到達可能性のいずれも必要としないときに）ノマディック（または非永続的な）ＩＰアドレスを使用するモード（例えば、ＳＳＣモード２）である、とコントローラが決定したときに、基地局のコントローラはリダイレクション手順を開始するように動作してもよい。
【００９５】
基地局のコントローラは、ＳＳＣモードは通信セッションが固定（または永続的な）ＩＰアドレスを使用するモード（例えば、ＳＳＣモード１）である、とコントローラが決定したときに、リダイレクション手順以外のモビリティ手順を開始するように動作してもよい。
【００９６】
基地局のコントローラは、ＳＳＣモードとユーザプレーン機能サービスエリアおよびセルとの間のマッピングを特定する情報を維持し、そのマッピングに基づいて通信装置のモビリティを制御するように動作してもよい。
【００９７】
ターゲットセルは、基地局が運用するソースセルと同じユーザプレーン機能サービングエリアに関連付けられてもよいが、基地局のコントローラはターゲットセルが関連付けられているユーザプレーン機能サービングエリアが、ソースセルが関連付けられているユーザプレーン機能サービングエリアと同じかどうか決定できない。この場合、基地局のコントローラは、ターゲットセルを運用する基地局がターゲットセルを介して通信装置の通信セッションのための通信を受信する準備がされるまでソースセルを介した通信装置の通信セッションのための通信接続が切断されるリダイレクション手順を開始するように動作してもよい。
【００９８】
基地局は、３ＧＰＰ次世代（ＮｅｘｔＧｅｎ／５Ｇ）無線アクセスネットワークの基地局を含んでもよい。
【００９９】
無線アクセスネットワーク装置のコントローラは、同じ通信装置固有のセキュリティパラメータを使用して、通信装置要求データフローと追加ネットワーク開始データフローの両方を暗号化するように動作してもよい。
【０１００】
通信装置はさらに、関連する無線ベアラを介して、コアネットワークに結合された基地局と通信するためのトランシーバ、無線ベアラに関する無線リンク障害（Ｒａｄｉｏ  Ｌｉｎｋ  Ｆａｉｌｕｒｅ：ＲＬＦ）を検出するように動作可能なコントローラを有してもよい。コントローラは、ＷＬＡＮアクセスポイントを介して、コアネットワークのノードにＲＬＦを通知するように動作してもよい。
【０１０１】
他の様々な修正は当業者には明らかであり、ここではこれ以上詳細に説明しない。
【０１０２】
この出願は、２０１６年８月１２日に出願された英国特許出願第１６１３９００．８号を基礎とする優先権を主張し、その開示の全てをここに取り込む。
【図１】
2019528018.tif 000003
【図２】
2019528018.tif 000004
【図３】
2019528018.tif 000005
【図４】
2019528018.tif 000006
【図５】
2019528018.tif 000007
【図６】
2019528018.tif 000008
【図７】
2019528018.tif 000009
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
各セルがユーザプレーン機能のそれぞれのサービングエリアに関連付けられている複数のセルを含む通信システムの基地局であって、前記基地局は、
コントローラとトランシーバとを備え、
前記コントローラは、前記基地局および前記ユーザプレーン機能を介して通信装置の通信セッションを制御し、
前記コントローラは、前記基地局によって運用されるソースセルと、前記通信システムのターゲットセルとの間の前記通信装置のモビリティを制御し、
前記ターゲットセルが前記基地局によって運用される前記ソースセルと同一ユーザプレーン機能サービングエリアに関連付けられているが、前記コントローラが、前記ターゲットセルが関連付けられている前記ユーザプレーン機能サービングエリアが、前記ソースセルが関連付けられている前記ユーザプレーン機能サービングエリアと同一であると決定できない場合、前記コントローラは、前記ターゲットセルを運用する基地局が、前記ターゲットセルを介して前記通信装置の前記通信セッションの通信を受信する準備がされる前に前記ソースセルを介した前記通信装置の前記通信セッションの通信接続が切断される、リダイレクション手順を開始する、基地局。
【請求項２】
前記ターゲットセルが前記基地局によって運用される前記ソースセルと同一ユーザプレーン機能サービングエリアに関連付けられ、前記コントローラが、前記ターゲットセルが関連付けられている前記ユーザプレーン機能サービングエリアが、前記ソースセルが関連付けられている前記ユーザプレーン機能サービングエリアと同一であると決定できる場合、前記コントローラは、前記ターゲットセルを運用する基地局が、前記ターゲットセルを介して前記通信装置の前記通信セッションの通信を受信する準備がされるまで前記ソースセルを介した前記通信装置の前記通信セッションの通信接続が切断されない、ハンドオーバ手順を開始する、請求項１に記載の基地局。
【請求項３】
前記コントローラは、前記通信装置の前記通信セッションに関連するセッションおよびサービス継続性（ＳＳＣ：session and service continuity）モードを決定する、請求項１又は２に記載の基地局。
【請求項４】
前記コントローラは、前記通信セッションの確立中に、前記通信装置の前記通信セッションに関連する前記ＳＳＣモードを決定する、請求項３に記載の基地局。
【請求項５】
前記ターゲットセルが、前記基地局によって運用される前記ソースセルと同一ユーザプレーン機能サービングエリアに関連付けられている場合に、前記コントローラは、前記ＳＳＣモードが、前記通信セッションがノマディックまたは非永続的なＩＰアドレスを使用するモードであると決定した場合、前記リダイレクション手順を開始する、請求項３又は４に記載の基地局。
【請求項６】
前記コントローラは、前記ＳＳＣモードが、前記通信セッションが固定または永続的なＩＰアドレスを使用するモードであると前記コントローラが決定した場合、前記リダイレクション手順以外のモビリティ手順を開始する、請求項３、４又は５に記載の基地局。
【請求項７】
前記コントローラは、前記ＳＳＣモードと、ユーザプレーン機能サービスエリアおよびセルとの間のマッピングを特定する情報を保持し、前記マッピングに基づいて前記通信装置のモビリティを制御する、請求項３乃至６のうちいずれか１項に記載の基地局。
【請求項８】
各セルがユーザプレーン機能のそれぞれのサービングエリアに関連付けられている複数のセルを含む通信システムの基地局であって、前記基地局は、
コントローラとトランシーバとを備え、
前記コントローラは、前記基地局および前記ユーザプレーン機能を介して通信装置の通信セッションを制御し、
前記コントローラは、前記基地局によって運用されるソースセルと、前記通信システムのターゲットセルとの間の前記通信装置のモビリティを制御し、
前記ターゲットセルが前記基地局によって運用される前記ソースセルと同一ユーザプレーン機能サービングエリアに関連付けられ、前記コントローラが、前記ターゲットセルが関連付けられている前記ユーザプレーン機能サービングエリアが、前記ソースセルが関連付けられている前記ユーザプレーン機能サービングエリアと同一であると決定できる場合、前記コントローラは、前記ターゲットセルを運用する基地局が、前記ターゲットセルを介して前記通信装置の前記通信セッションの通信を受信する準備がされるまで前記ソースセルを介した前記通信装置の前記通信セッションの通信接続が切断されない、ハンドオーバ手順を開始する、基地局。
【請求項９】
前記ターゲットセルが前記基地局によって運用される前記ソースセルと同一ユーザプレーン機能サービングエリアに関連付けられているが、前記コントローラが、前記ターゲットセルが関連付けられているユーザプレーン機能サービングエリアと前記ソースセルが関連付けられているユーザプレーン機能サービングエリアが同一であると決定できない場合、前記コントローラは、前記ターゲットセルを運用する基地局が、前記ターゲットセルを介して前記通信装置の前記通信セッションの通信を受信する準備がされる前に前記ソースセルを介した前記通信装置の前記通信セッションの通信接続が切断される、リダイレクション手順を開始する、請求項８に記載の基地局。
【請求項１０】
無線ローカルエリアネットワーク（Ｗｉｒｅｌｅｓｓ  Ｌｏｃａｌ  Ａｒｅａ  Ｎｅｔｗｏｒｋ：ＷＬＡＮ）アクセスポイントを含む通信システムの通信装置であって、前記通信装置は、
コントローラとトランシーバとを備え、
前記コントローラは、前記ＷＬＡＮアクセスポイントを介したＷＬＡＮシグナリングと、前記ＷＬＡＮアクセスポイントを介した非アクセス層（Ｎｏｎ−Ａｃｃｅｓｓ  Ｓｔｒａｔｕｍ：ＮＡＳ）シグナリングとの両方に対して前記トランシーバを制御する、通信装置。
【請求項１１】
関連する無線ベアラを介して、コアネットワークに接続された基地局と通信するトランシーバをさらに備え、
前記コントローラは、前記無線ベアラに関する無線リンク障害（Ｒａｄｉｏ  Ｌｉｎｋ  Ｆａｉｌｕｒｅ：ＲＬＦ）を検出し、
前記コントローラは、前記ＷＬＡＮアクセスポイントを介して、前記コアネットワークのノードに前記ＲＬＦを提供する、請求項１０に記載の通信装置。
【請求項１２】
各セルがユーザプレーン機能のそれぞれのサービングエリアに関連付けられている複数のセルを含む通信システムにおける基地局によって実行される方法であって、前記方法は、
前記基地局および前記ユーザプレーン機能を介して通信装置の通信セッションを制御することと、
前記基地局によって運用されるソースセルと、前記通信システムのターゲットセルとの間の前記通信装置のモビリティを制御することと、
前記ターゲットセルが前記基地局によって運用される前記ソースセルと同一ユーザプレーン機能サービングエリアに関連付けられているが、前記基地局が、前記ターゲットセルが関連付けられている前記ユーザプレーン機能サービングエリアが、前記ソースセルが関連付けられている前記ユーザプレーン機能サービングエリアと同一であると決定できない場合、前記ターゲットセルを運用する基地局が、前記ターゲットセルを介して前記通信装置の前記通信セッションの通信を受信する準備がされる前に前記ソースセルを介した前記通信装置の前記通信セッションの通信接続が切断される、リダイレクション手順を開始することと、を含む、方法。
【請求項１３】
各セルが終端ユーザプレーン機能、ユーザプレーン機能のそれぞれのサービングエリアに関連付けられている複数のセルを含む通信システムにおける基地局によって実行される方法であって、前記方法は、
前記基地局および前記ユーザプレーン機能を介して通信装置の通信セッションを制御することと、
前記基地局によって運用されるソースセルと前記通信システムのターゲットセルとの間の前記通信装置のモビリティを制御することと、
前記ターゲットセルが前記基地局によって運用される前記ソースセルと同一ユーザプレーン機能サービングエリアに関連付けられ、前記基地局が、前記ターゲットセルが関連付けられている前記ユーザプレーン機能サービングエリアが、前記ソースセルが関連付けられている前記ユーザプレーン機能サービングエリアと同一であると決定できる場合、前記ターゲットセルを運用する基地局が、前記ターゲットセルを介して前記通信装置の前記通信セッションの通信を受信する準備がされるまで前記ソースセルを介した前記通信装置の前記通信セッションの通信接続が切断されない、ハンドオーバ手順を開始することと、を含む、方法。
【国際調査報告】
2019528018.tif 000010
2019528018.tif 000011
2019528018.tif 000012
2019528018.tif 000013
2019528018.tif 000014